(57)【特許請求の範囲】
【請求項１】
ケース体と、被打撃面を有するパッド体（１０）と、該パッド体の下方に設けられたセンサ支持体と、該センサ支持体によって支持され前記パッド体の被打撃面に対する打撃で生じる振動を検出するセンサ部とを備え、前記センサ部の出力に応じて楽音信号を発生する電子ドラム装置であって、
肉厚部（４２ｂ、２４２ｂ、３４２ｂ）及び振動伝達を抑制し得る肉薄部（４２ａ、２４２ａ、３４２ａ）を有する弾性体（４２、２４２、３４２）を備え、
前記パッド体と前記センサ支持体とを前記弾性体の前記肉厚部を介して振動伝達可能に結合すると共に、
前記ケース体と前記センサ支持体とを前記弾性体の前記肉薄部を介して結合することにより、前記パッド体、前記センサ支持体及び前記センサ部を前記ケース体に対して浮設して前記ケース体から前記センサ部への振動伝達を抑えるようにしたことを特徴とする電子ドラム装置。
【請求項２】
ケース体と、被打撃面を有するパッド体と、該パッド体の下方に設けられたセンサ支持体と、前記パッド体の略中央近傍で前記センサ支持体によって支持され前記パッド体の被打撃面に対する打撃で生じる振動を検出するセンサ部とを備え、前記センサ部の出力に応じて楽音信号を発生する電子ドラム装置であって、
肉厚部（４２ｂ、２４２ｂ）及び振動伝達を抑制し得る肉薄部（４２ａ、２４２ａ）を有する弾性体（４２、２４２）とを備え、
前記パッド体と前記センサ支持体とを前記パッド体の外縁下部近傍から延設した帯状弾性ブリッジ体（１４）及び前記弾性体の前記肉厚部を介して結合すると共に、
前記ケース体と前記センサ支持体とを前記弾性体の前記肉薄部を介して結合することにより、前記パッド体、前記センサ支持体及び前記センサ部を前記ケース体に対して浮設して前記ケース体から前記センサ部への振動伝達を抑えるようにしたことを特徴とする電子ドラム装置。
【請求項３】
ケース体と、被打撃面を有するパッド体と、該パッド体の下方に設けられたセンサ支持体と、前記パッド体の略中央近傍で前記センサ支持体によって支持され前記パッド体の被打撃面に対する打撃で生じる振動を検出するセンサ部とを備え、前記センサ部の出力に応じて楽音信号を発生する電子ドラム装置であって、
肉厚部（２４２ｂ）及び振動伝達を抑制し得る肉薄部（２４２ａ）を有する弾性体（２４２）とを備え、
前記パッド体と前記センサ支持体とを前記パッド体の全周に亘る外縁下部近傍から延設したドーナツ状弾性ブリッジ体（２１４）及び前記弾性体の前記肉厚部を介して結合すると共に、
前記ケース体と前記センサ支持体とを前記弾性体の前記肉薄部を介して結合することにより、前記パッド体、前記センサ支持体及び前記センサ部を前記ケース体に対して浮設して前記ケース体から前記センサ部への振動伝達を抑えるようにしたことを特徴とする電子ドラム装置。
【請求項４】
ケース体と、被打撃面を有するパッド体と、該パッド体の下方に設けられたセンサ支持体と、該センサ支持体によって支持され前記パッド体の被打撃面に対する打撃で生じる振動を検出するセンサ部とを備え、前記センサ部の出力に応じて楽音信号を発生する電子ドラム装置であって、
前記パッド体と前記センサ支持体とをブロー成形された中空体（６０）を介して結合すると共に、
前記ケース体と前記センサ支持体とを振動伝達を抑制し得る肉薄弾性体（１４２ａ）で結合することにより、前記パッド体、前記センサ支持体及び前記センサ部を前記ケース体に対して浮設して前記ケース体から前記センサ部への振動伝達を抑えるようにしたことを特徴とする電子ドラム装置。
【請求項５】
ケース体と、被打撃面を有するパッド体（１１１、２１２）と、該パッド体の下方に設けられ該パッド体を支持するパッド体保持体（３４２ｂ）と、前記パッド体の下方に設けられたセンサ支持体と、該センサ支持体によって支持され前記パッド体の被打撃面に対する打撃で生じる振動を検出するセンサ部とを備え、前記センサ部の出力に応じて楽音信号を発生する電子ドラム装置であって、
前記パッド体と前記センサ支持体（３４０）とを第１接続部（２１３）を介して振動伝達可能となるように固定的に結合すると共に、
前記パッド体保持体（３４２ｂ）を、前記センサ支持体とは非当接関係となるように、第２接続部（８１、８３）を介して前記パッド体と固定的に結合し、
さらに前記ケース体と前記パッド体保持体とを振動伝達を抑制し得る肉薄弾性体（３４２ａ）で結合することにより、前記パッド体、前記パッド体保持体、前記センサ支持体及び前記センサ部を前記ケース体に対して浮設して前記ケース体から前記センサ部への振動伝達を抑えるようにしたことを特徴とする電子ドラム装置。
【請求項６】
前記パッド体の被打撃面の非打撃時には前記ケース体からの振動が前記パッド体に伝達されない程度に前記パッド体と前記ケース体とが非当接的関係になる一方、前記パッド体の被打撃面の打撃時には、前記パッド体からの振動が前記センサ部に伝達され且つ前記パッド体と前記ケース体とが当接的関係になって前記パッド体の過剰な変位が抑制されるように前記パッド体と前記ケース体とを配置したことを特徴とする請求項１〜５のいずれか１項に記載の電子ドラム装置。
【発明の詳細な説明】
【０００１】
【発明の属する技術の分野】
本発明は、パッド体の打撃による振動を検出し、その検出信号に基づいてドラム音を発生する電子ドラム装置に関する。
【０００２】
【従来の技術】
従来、パッド体の被打撃面の打撃で生じる振動を例えばパッド体下方に配設したピエゾ型のセンサ部で検出し、その出力信号をトリガとして電子音源を指示してドラム音を発生するようにした電子ドラム装置が知られている。この種の電子ドラム装置で複数のパッド体を有するものにあっては、他パッドの打撃による振動が自パッドへ伝わるいわゆるパッド間の飛び付きが発生することがある。また、単一パッドのものにあっても、演奏開始の合図のためケース体をたたいて拍子をとった後にパッドを打撃する場合、ケース体をたたいたときの振動がパッドに伝わり、ケース体からの飛び付きが発生することがある。このような飛び付きが起こると適切な楽音発生に支障を生じるため、できる限り飛び付きを起こさないような工夫が必要とされる。
【０００３】
例えば、第１の従来技術（特開平９−２９７５７６号公報）では、ケース体からセンサ部までの距離をある程度確保すると共に、３箇所に設けた弾性保持体を介してパッド体がケース体に支持されるようにすることで、ケース体からの振動がパッド体やセンサ部に伝わりにくくなっている。また、第２の従来技術（特開２０００−４７６６６号公報）では、高いバネ性を有するステンレス等により肉薄の円盤形状に成形されたセンサ固着体の中央表面に圧電センサを固着し、センサ固着体を上面ケースに形成されたパッド収容部にネジで固定することで、上面ケースからの振動が圧電センサに伝わりにくくなっている。従来技術では、このようにして、飛び付きが多少でも軽減されるようにしている。
【０００４】
【発明が解決しようとする課題】
しかしながら、上記第１の従来技術では、パッド体とケース体とを結合する弾性保持体により振動伝達が軽減されるといっても、パッド体を３箇所で保持する必要から弾性保持体には多少の剛性が必要であり、ケース体の振動はパッド体を経由してセンサ部に少なからず伝わる。また、上記第２の従来技術では、センサ固着体が高いバネ性を有し肉薄であるといっても、ステンレス製等であることからある程度の厚みや剛性があり振動も伝えやすく、上面ケースからの振動を効果的に遮断するには不十分である。そのため、上面ケースからの振動は圧電センサに少なからず伝わる。
【０００５】
このように、上記従来技術では、ケース体を通じて伝達されセンサ部で検出される振動は、無視できる程度に小さいものとはならず、非飛び付き度はあまり高いものではなかった。そのため、センサ部の感度を下げたり、ソフトウェアによる処理で対応するようにしていた。
【０００６】
本発明は上記従来技術の問題を解決するためになされたものであり、その目的は、ケース体からの振動伝達を効果的に抑制して飛び付きの発生を構造的に防止することができる電子ドラム装置を提供することにある。
【０００７】
【課題を解決するための手段】
上記目的を達成するために本発明の請求項１の電子ドラム装置は、ケース体と、被打撃面を有するパッド体（１０）と、該パッド体の下方に設けられたセンサ支持体と、該センサ支持体によって支持され前記パッド体の被打撃面に対する打撃で生じる振動を検出するセンサ部とを備え、前記センサ部の出力に応じて楽音信号を発生する電子ドラム装置であって、肉厚部（４２ｂ、２４２ｂ、３４２ｂ）及び振動伝達を抑制し得る肉薄部（４２ａ、２４２ａ、３４２ａ）を有する弾性体（４２、２４２、３４２）を備え、前記パッド体と前記センサ支持体とを前記弾性体の前記肉厚部を介して振動伝達可能に結合すると共に、前記ケース体と前記センサ支持体とを前記弾性体の前記肉薄部を介して結合することにより、前記パッド体、前記センサ支持体及び前記センサ部を前記ケース体に対して浮設して前記ケース体から前記センサ部への振動伝達を抑えるようにしたことを特徴とする。
【０００８】
この構成によれば、パッド体、センサ支持体及びセンサ部が、弾性体の、振動伝達を抑制し得る肉薄部でのみ支持されるので、振動伝達に限っていえば、これらがケース体から独立してあたかも宙に浮いているかのように作用する。すなわち、ケース体からの振動は前記肉薄部でほぼ遮断され、前記センサ部への振動伝達が効果的に抑えられるので、他パッドの打撃やケース体自身の打撃に起因する飛び付きが防止される。その一方、自パッドの打撃による振動は、弾性体の肉厚部、前記センサ支持体を通じて前記センサ部に伝達されるので、打撃検出に支障がない。従って、構造的に飛び付きが抑制されるので、センサ部の感度を下げたりソフト的に対応する必要がない。よって、ケース体からの振動伝達を効果的に抑制して飛び付きの発生を構造的に防止することができる。
【０００９】
本発明の請求項２の電子ドラム装置は、ケース体と、被打撃面を有するパッド体と、該パッド体の下方に設けられたセンサ支持体と、前記パッド体の略中央近傍で前記センサ支持体によって支持され前記パッド体の被打撃面に対する打撃で生じる振動を検出するセンサ部とを備え、前記センサ部の出力に応じて楽音信号を発生する電子ドラム装置であって、肉厚部（４２ｂ、２４２ｂ）及び振動伝達を抑制し得る肉薄部（４２ａ、２４２ａ）を有する弾性体（４２、２４２）とを備え、前記パッド体と前記センサ支持体とを前記パッド体の外縁下部近傍から延設した帯状弾性ブリッジ体（１４）及び前記弾性体の前記肉厚部を介して結合すると共に、前記ケース体と前記センサ支持体とを前記弾性体の前記肉薄部を介して結合することにより、前記パッド体、前記センサ支持体及び前記センサ部を前記ケース体に対して浮設して前記ケース体から前記センサ部への振動伝達を抑えるようにしたことを特徴とする。
【００１０】
この構成によれば、パッド体、センサ支持体及びセンサ部が、弾性体の、振動伝達を抑制し得る肉薄部でのみ支持されるので、振動伝達に限っていえば、これらがケース体から独立してあたかも宙に浮いているかのように作用する。すなわち、ケース体からの振動は前記肉薄部でほぼ遮断され、前記センサ部への振動伝達が効果的に抑えられるので、他パッドの打撃やケース体自身の打撃に起因する飛び付きが防止される。その一方、自パッドの打撃による振動は、帯状弾性ブリッジ体、弾性体の肉厚部及び前記センサ支持体を通じて前記センサ部に伝達されるので、打撃検出に支障がない。従って、構造的に飛び付きが抑制されるので、センサ部の感度を下げたりソフト的に対応する必要がない。さらに、前記帯状弾性ブリッジ体は、パッド体の外縁下部近傍から延設されているので、周縁から回り込むように広い経路で打撃振動が伝わり、打撃位置によって出力が変動する「感度むら」が効果的に防止され、打撃位置に拘わらず均一な出力が得られる。よって、ケース体からの振動伝達を効果的に抑制して飛び付きの発生を構造的に防止することができると共に、打撃位置による感度むらを効果的に少なくすることができる。
【００１１】
なお、帯状弾性ブリッジ体は、例えば、円周方向に幅広に形成される。
【００１２】
本発明の請求項３の電子ドラム装置は、ケース体と、被打撃面を有するパッド体と、該パッド体の下方に設けられたセンサ支持体と、前記パッド体の略中央近傍で前記センサ支持体によって支持され前記パッド体の被打撃面に対する打撃で生じる振動を検出するセンサ部とを備え、前記センサ部の出力に応じて楽音信号を発生する電子ドラム装置であって、肉厚部（２４２ｂ）及び振動伝達を抑制し得る肉薄部（２４２ａ）を有する弾性体（２４２）とを備え、前記パッド体と前記センサ支持体とを前記パッド体の全周に亘る外縁下部近傍から延設したドーナツ状弾性ブリッジ体（２１４）及び前記弾性体の前記肉厚部を介して結合すると共に、前記ケース体と前記センサ支持体とを前記弾性体の前記肉薄部を介して結合することにより、前記パッド体、前記センサ支持体及び前記センサ部を前記ケース体に対して浮設して前記ケース体から前記センサ部への振動伝達を抑えるようにしたことを特徴とする。
【００１３】
この構成によれば、パッド体、センサ支持体及びセンサ部が、弾性体の、振動伝達を抑制し得る肉薄部でのみ支持されるので、振動伝達に限っていえば、これらがケース体から独立してあたかも宙に浮いているかのように作用する。すなわち、ケース体からの振動は前記肉薄部でほぼ遮断され、前記センサ部への振動伝達が効果的に抑えられるので、他パッドの打撃やケース体自身の打撃に起因する飛び付きが防止される。その一方、自パッドの打撃による振動は、ドーナツ状弾性ブリッジ体、弾性体の肉厚部及び前記センサ支持体を通じて前記センサ部に伝達されるので、打撃検出に支障がない。従って、構造的に飛び付きが抑制されるので、センサ部の感度を下げたりソフト的に対応する必要がない。さらに、前記ドーナツ状弾性ブリッジ体は、パッド体の全周に亘る外縁下部近傍から延設されているので、周縁から回り込むように広い経路で打撃振動が伝わり、打撃位置によって出力が変動する「感度むら」が一層効果的に防止され、打撃位置に拘わらず均一な出力が得られる。よって、ケース体からの振動伝達を効果的に抑制して飛び付きの発生を構造的に防止することができると共に、打撃位置による感度むらを効果的に少なくすることができる。
【００１４】
本発明の請求項４の電子ドラム装置は、ケース体と、被打撃面を有するパッド体と、該パッド体の下方に設けられたセンサ支持体と、該センサ支持体によって支持され前記パッド体の被打撃面に対する打撃で生じる振動を検出するセンサ部とを備え、前記センサ部の出力に応じて楽音信号を発生する電子ドラム装置であって、前記パッド体と前記センサ支持体とをブロー成形された中空体（６０）を介して結合すると共に、前記ケース体と前記センサ支持体とを振動伝達を抑制し得る肉薄弾性体（１４２ａ）で結合することにより、前記パッド体、前記センサ支持体及び前記センサ部を前記ケース体に対して浮設して前記ケース体から前記センサ部への振動伝達を抑えるようにしたことを特徴とする。
【００１５】
この構成によれば、パッド体、センサ支持体及びセンサ部が、振動伝達を抑制し得る肉薄弾性体でのみ支持されるので、振動伝達に限っていえば、これらがケース体から独立してあたかも宙に浮いているかのように作用する。すなわち、ケース体からの振動は前記肉薄弾性体でほぼ遮断され、前記センサ部への振動伝達が効果的に抑えられるので、他パッドの打撃やケース体自身の打撃に起因する飛び付きが防止される。その一方、自パッドの打撃による振動は、ブロー成形された中空体及び前記センサ支持体を通じて前記センサ部に伝達されるので、打撃検出に支障がない。従って、構造的に飛び付きが抑制されるので、センサ部の感度を下げたりソフト的に対応する必要がない。さらに、前記中空体は、ブロー成形で中空に形成されているので、弾性に富み、しかも中空体の外周から回り込むように広い経路で打撃振動が伝わり、打撃位置によって出力が変動する「感度むら」が効果的に防止され、打撃位置に拘わらず均一な出力が得られる。加えて、ブロー成形によって、通常２部品以上で構成される中空部を１部品で構成できるので、構成の簡単化、及び部品点数削減によるコストダウンを図ることができる。よって、ケース体からの振動伝達を効果的に抑制して飛び付きの発生を構造的に防止することができると共に、打撃位置による感度むらを効果的に少なくすることができる。さらに構成を簡単にし、コストを削減することができる。
【００１６】
本発明の請求項５の電子ドラム装置は、ケース体と、被打撃面を有するパッド体（１１１、２１２）と、該パッド体の下方に設けられ該パッド体を支持するパッド体保持体（３４２ｂ）と、前記パッド体の下方に設けられたセンサ支持体と、該センサ支持体によって支持され前記パッド体の被打撃面に対する打撃で生じる振動を検出するセンサ部とを備え、前記センサ部の出力に応じて楽音信号を発生する電子ドラム装置であって、前記パッド体と前記センサ支持体（３４０）とを第１接続部（２１３）を介して振動伝達可能となるように固定的に結合すると共に、前記パッド体保持体（３４２ｂ）を、前記センサ支持体とは非当接関係となるように、第２接続部（８１、８３）を介して前記パッド体と固定的に結合し、
さらに前記ケース体と前記パッド体保持体とを振動伝達を抑制し得る肉薄弾性体（３４２ａ）で結合することにより、前記パッド体、前記パッド体保持体、前記センサ支持体及び前記センサ部を前記ケース体に対して浮設して前記ケース体から前記センサ部への振動伝達を抑えるようにしたことを特徴とする。
【００１７】
この構成によれば、パッド体、パッド体保持体、センサ支持体及びセンサ部が、振動伝達を抑制し得る肉薄弾性体でのみ支持されるので、振動伝達に限っていえば、これらがケース体から独立してあたかも宙に浮いているかのように作用する。すなわち、ケース体からの振動は前記肉薄弾性体でほぼ遮断され、前記センサ部への振動伝達が効果的に抑えられるので、他パッドの打撃やケース体自身の打撃に起因する飛び付きが防止される。その一方、自パッドの打撃による振動は第１接続部、前記センサ支持体を通じて前記センサ部に伝達されるので、打撃検出に支障がない。従って、構造的に飛び付きが抑制されるので、センサ部の感度を下げたりソフト的に対応する必要がない。
【００１８】
さらに、前記パッド体と前記センサ支持体とが第１接続部を介して振動伝達可能に結合されたものを、打撃検出を担う「打撃検出系」とみなし、前記パッド体保持体が前記ケース体に前記肉薄弾性体で結合されたものを飛び付き防止を担う「飛び付き防止系」とみなせば、両系は比較的分離独立したものとなる。従って、打撃検出特性の改善または飛び付き防止特性の改善を図る必要があるとき、他方の系に影響を与えることなく一方の系のみの設計変更をすることが可能となる。例えば、ケース体の材質や構造的特性の変化等により不具合が発生しても、いずれかの系のみの変更でそれを解消し、ケース体の金型変更という最悪の事態等を回避することができ、各系毎の設計の制約を少なくして多機種への対応を容易にすることもできる。
【００１９】
よって、ケース体からの振動伝達を効果的に抑制して飛び付きの発生を構造的に防止することができると共に、打撃検出特性と飛び付き防止特性との兼ね合いを考慮した自由度の高い設計を可能にすることができる。
【００２０】
本発明の請求項６の電子ドラム装置は、上記請求項１〜５のいずれか１項に記載の構成において、前記パッド体の被打撃面の非打撃時には前記ケース体からの振動が前記パッド体に伝達されない程度に前記パッド体と前記ケース体とが非当接的関係になる一方、前記パッド体の被打撃面の打撃時には、前記パッド体からの振動が前記センサ部に伝達され且つ前記パッド体と前記ケース体とが当接的関係になって前記パッド体の過剰な変位が抑制されるように前記パッド体と前記ケース体とを配置したことを特徴とする。
【００２１】
この構成により、パッド体の被打撃面の非打撃時にはケース体からの振動がパッド体に伝達されない程度に前記パッド体と前記ケース体とが非当接的関係になるので、パッド体やセンサ支持体等のケース体からの作用上の独立性を確保して飛び付きを効果的に防止することができる。一方、打撃時には、前記パッド体からの振動が前記センサ部に伝達されるので、振動検出に支障がなく、且つ前記パッド体と前記ケース体とが当接的関係になって前記パッド体の過剰な変位が抑制されるので、ストッパ機能によって破損や故障を防止すると共に、ドラム音源として不適な信号（超低周波数等）の発生を排除することができる。
【００２２】
【発明の実施の形態】
以下、本発明の実施の形態を図面を参照して説明する。
【００２３】
（第１の実施の形態）
図１は、本発明の第１の実施の形態に係る電子ドラム装置の外観図である。
【００２４】
本装置は、上ケース６（ケース体）上に複数（４個）のパッド体１０を備える。パッド体１０の外周には環状の発光ユニット２０が配設される。発光ユニット２０は光源部３０を含んでいる。後述するように、本装置では、例えばパッド体１０を打撃することで、各パッド毎に割り当てた音色（スネアドラム、バスドラム、シンバル等）が電子的に発音されると共に、光源部３０を除く発光ユニット２０の部分が光ってみえるようになっている。複数のパッド体１０及び発光ユニット２０の大きさは異なるものもあるが基本的構成はいずれも同様である。
【００２５】
本装置にはさらに、液晶または７セグメントＬＥＤ等で構成され各種情報を表示する表示部１、電源の入り切りを行うためのスライド型の電源スイッチ部２、パラメータ設定で用いる回転型のパラメータ設定用ロータリーエンコーダ３、音量やテンポ等の各種パラメータを設定するための機能スイッチ部４、及びドラム音等を発音するスピーカ部５が設けられている。
【００２６】
図２は、本実施の形態におけるパッド体１０の平面図、図３は発光ユニット２０を斜め上方からみた外観斜視図、図４は図１のＡ−Ａ線に沿う部分断面図、図５は図１のＢ−Ｂ線に沿う部分断面図である。なお、図２において表示したＡ−Ａ線、Ｂ−Ｂ線は、図１のものに対応している。
【００２７】
図４、図５に示すように、パッド体１０は、パッド表皮体１１及びパッド板１２で構成される。パッド板１２は鉄、アルミニウム等の金属または硬質樹脂等で円盤状に形成される。パッド表皮体１１はゴム等の弾性体で構成され、その上面である打撃面１１ａが叩打される。パッド表皮体１１の下面４箇所には、先端が鉤状の突起部１５が突設され、パッド板１２の対応する位置に設けた穴に突起部１５を挿通嵌合することでパッド表皮体１１がパッド板１２に固着される。なお、パッド表皮体１１はパッド板１２に接着等で固着するようにしてもよい。
【００２８】
パッド体１０の下方には、有膜弾性体４２及びセンサ支持体４０が配設されている（図４、図５）。有膜弾性体４２は、弾性を有し振動を伝達しにくい合成樹脂（例えばポリプロピレン）等で構成される。有膜弾性体４２は円盤状に形成され、その半径方向略中央部は肉厚部４２ｂとなっている。肉厚部４２ｂから半径方向外側部分は薄膜部４２ａ（肉薄部）となっている。薄膜部４２ａの厚みは例えば０．３ｍｍ程度である。薄膜部４２ａの作用については後述する。
【００２９】
センサ支持体４０は有膜弾性体４２の下面に接着されている。センサ支持体４０は剛性を有する板状部材で円盤状に形成され、その外縁部が有膜弾性体４２の肉厚部４２ｂの外周部近傍まで延びている。
【００３０】
なお、有膜弾性体４２の肉厚部４２ｂは、厚肉にすることなく、薄膜部４２ａと同じ厚さの薄肉部としてもよい。これは、センサ支持体４０と後述するブリッジ体１４の下端部１４ｂとで挟持されネジ止めされることから、強度面、保守面からも問題がないからである。
【００３１】
センサ支持体４０は有膜弾性体４２と共にブリッジ体１４（帯状弾性ブリッジ体）によってパッド体１０と結合されている（図４、図５）。ブリッジ体１４は、弾性を有する材料で円周方向に幅広の帯状に形成され、例えば３箇所に等間隔に設けられる（図２）。
【００３２】
ブリッジ体１４は、その上端部１４ａがパッド体１０に連結されて構成される。パッド板１２が金属で構成される場合はパッド板１２本体からの切り起こしにより形成され、樹脂で構成される場合はスライドコアタイプの金型によって板本体と一体に成形される。
【００３３】
ブリッジ体１４は、その内周側の下端部１４ｂとセンサ支持体４０とで有膜弾性体４２の肉厚部４２ｂをサンドイッチする形で取り付けられる。下端部１４ｂは、各ブリッジ体１４につき２個のネジ１３によってセンサ支持体４０及び有膜弾性体４２に固着されている。ブリッジ体１４は、パッド体１０の打撃による振動をセンサ支持体４０に伝達する。ブリッジ体１４は、上記のようにパッド体１０の外縁下部近傍から延設され円周方向に幅広に形成されているので、パッド体１０の周縁から回り込むように広い経路で打撃振動が伝わり、打撃位置によって出力が変動する「感度むら」が効果的に防止される。
【００３４】
センサ支持体４０の略中央下部にはセンサ部４１が設けられている。センサ部４１は、ピエゾ型圧電センサ等で構成され、ブリッジ体１４及びセンサ支持体４０を通じて伝わる打撃振動を検出する。
【００３５】
図３に示すように、発光ユニット２０は、導光体２１、反射用カバー２３及び光源部３０で構成される。導光体２１及び反射用カバー２３は、光源部３０が配設されるスペースだけ外周の一部を切り欠いた略円環状に形成される。反射用カバー２３は断面凹状で凹部（開口部）が上方を向き、導光体２１は断面凸状で凸部が下方を向いている。反射用カバー２３の凹部に導光体２１の凸部が嵌合され、合わせ面ＳＦ１、ＳＦ２で接着されている（図４）。
【００３６】
なお、反射用カバー２３の底面を、上ケース６の導光体２１及び反射用カバー２３に対応する環状溝ＲＭの底面ＲＭ１にまで延長するように構成してもよい。そのようにすれば、合わせ面ＳＦ１、ＳＦ２で接着せずとも圧着嵌合するだけでよく、組み付け、保守点検、交換が容易となる。
【００３７】
導光体２１は光を透過するポリカーボネート、アクリル等の透明体樹脂で構成される。後述するように、導光体２１の一端部は光が入射される始端面２１ａ、他端部は光が到達する終端面２１ｂとなっており、始端面２１ａと終端面２１ｂとの間に光源部３０が嵌合される。
【００３８】
図６は、光源部３０に上ケース６の一部を併せて示した図である。同図（ａ）は、光源部３０を反転させて斜め上方からみた分解斜視図であり、同図（ｂ）は上ケース６の光源部３０が取り付けられる部分を切り出して斜め上方からみた部分斜視図である。
【００３９】
光源部３０はＬＥＤ３１及びＬＥＤカバー３２等から構成される（同図（ａ））。ＬＥＤカバー３２には、Ｕ字状の溝Ｍ１が形成されている。この溝Ｍ１内に発光体であるＬＥＤ３１が遊挿される。ＬＥＤカバー３２の内側面（発光ユニット２０の内周方向を向く面）３２ｃにはフック部３３が設けられる。このフック部３３は、上ケース６から上方に突設された外周側環状リブ６ｂの外周面側への取り付けのために設けられる。フック部３３の先端には爪３３ａが形成されている。
【００４０】
一方、上ケース６はポリスチレン等で構成され、下ケースのボス７に支持される。上ケース６には、発光ユニット２０の内周側で環状リブ６ｂよりも内周側において内周側環状リブ６ａが形成されている。なお環状リブ６ｂによって、ケース側環状溝ＲＭが全周に亘って形成される（図４、図５、図６（ｂ））。上ケース６の光源部３０が取り付けられる外側の環状リブ６ｂの外側面には、係止用溝Ｍ２が形成されている（図６（ｂ））。
【００４１】
発光ユニット２０は上ケース６のケース側環状溝ＲＭ内に配置される。光源部３０を図６（ａ）の状態から反転し、ＬＥＤカバー３２を上ケース６のケース側環状溝ＲＭに挿入しつつ、フック部３３の爪３３ａを上ケース６の係止用溝Ｍ２に係止することで、ＬＥＤカバー３２の外側面３２ｄがフック部３３の弾性により溝ＲＭの外側壁ＲＭ０（図６（ｂ））側に押しつけられ、光源部３０が上ケース６に固定される。光源部３０が取り付けられた状態では、ＬＥＤカバー３２の始端側面３２ａ、終端側面３２ｂが導光体２１の始端面２１ａ、終端面２１ｂとそれぞれ当接状態となる。そのとき、ＬＥＤ３１は導光体２１の始端面２１ａと対向する。また、ＬＥＤカバー３２は、光を反射しやすい白色系の合成樹脂等で構成される。従って、ＬＥＤ３１が発光すると、光は始端面２１ａから導光体２１に効率良く入射される。
【００４２】
反射用カバー２３もＬＥＤカバー３２と同様に、白色系の合成樹脂等で構成される。また、導光体２１の外周面２１ｄ及び内周面２１ｅは高い面粗さに（鏡面のように）処理されている。従って、反射用カバー２３の凹部と導光体２１の凸部との当接面や、外周面２１ｄ、内周面２１ｅでは、光が反射しやすく、特に導光体２１の内部を透過する光が所定角度以下で高面粗度の面に向かうときはほぼ全反射する。これにより、ＬＥＤ３１からの入射光は、いわゆる光ファイバの光伝搬原理で導光体２１の軸方向に沿って効率良く導光される。
【００４３】
ＬＥＤカバー３２は、導光体２１の鏡面加工部を保護するためだけでなく、光伝搬効率をさらに上げるためにも用いられる。すなわち、コストダウン等のため鏡面加工率を抑えることによる光漏れを、ＬＥＤカバー３２の白色面で光を反射させ、導光体２１に再入力させて少なくするために用いられる。特に、導光体２１の始端面２１ａ近傍では、壁面（外周面２１ｄ、内周面２１ｅ）に対する光投入角が直角に近いため、導光体２１単独では鏡面であっても光が漏れやすい。しかし、ＬＥＤカバー３２の白色面によって、光再入力が可能になっている。
【００４４】
また、上述したように、ＬＥＤカバー３２の終端側面３２ｂは導光体２１の終端面２１ｂと当接しており、しかもＬＥＤカバー３２は白色系であるので、軸線に沿って終端面２１ｂまで到達した入射光は、ほぼ全反射して逆方向（始端面２１ａ側）に向かう。このことと、ＬＥＤカバー３２の作用によって、導光体２１の始端面２１ａから終端面２１ｂまでの全長に亘りかなり均一な明るさで放光面２１ｃを発光させることができる。
【００４５】
一方、導光体２１の上面は、視認性のため外周方向に向かってやや下方に傾斜しており、面粗度を少し粗く（すりガラスのように）した放光面２１ｃとして形成されている。放光面２１ｃを粗面処理したことで、導光体２１の内部から放光面２１ｃに向かう光は乱反射しやすくなり、放光面２１ｃへの入射角が小さい光でも一部が全反射することなく外部に漏れる。漏れる分だけ始端面２１ａ、終端面２１ｂから離れた位置ではわずかに輝度が落ちるが、奏者からみると、放光面２１ｃが光っているように見える。なお、粗面処理は、例えば、ビーズブラスト法によりなされる。
【００４６】
導光体２１には、発光ユニット２０を上ケース６に取り付けるためのステイ２２が３個設けられている。ステイ２２は、導光体２１の内周面２１ｅに一体に形成され、ブリッジ体１４と隣接するブリッジ体１４との間に位置するように等間隔で設けられる。ステイ２２は、ステイ２２の下面と環状リブ６ａの上面とで有膜弾性体４２の薄膜部４２ａをサンドイッチするようにして、ネジ２４で環状リブ６ａに固定される（図４）。これにより、発光ユニット２０が上ケース６に固定される。
【００４７】
また、ステイ２２の上面２２ａには、スポンジ、ウレタンゴム等からなる緩衝材２２ｂが貼り付けられている（図４）。組み付け後の非打撃時には、ステイ２２の上面２２ａとパッド体１０の下面１０ａとは僅かに離間し、この離間した部分に緩衝材２２ｂが介在する。緩衝材２２ｂの上面は、パッド体１０の下面１０ａとは僅かに離間させてもよい。一方、パッド体１０の打撃時には、ステイ２２及び緩衝材２２ｂがパッド体１０に対するストッパ的役割を果たすことで、パッド体１０の過剰な変位が抑制される。緩衝材２２ｂの作用によって、上面２２ａとパッド体１０との間で生じる衝撃音も抑制される。なお、パッド体１０の外周部も導光体２１とは僅かに離間している。
【００４８】
結局、最終組み付け後の非打撃時には、パッド体１０は発光ユニット２０とは実質的に離間状態となっている。従って、パッド体１０、センサ部４１、センサ支持体４０等が、有膜弾性体４２の薄膜部４２ａだけを介して上ケース６に結合され、上ケース６に対して浮設された形となっている。これにより、振動伝達に限っていえば、パッド体１０、センサ部４１、センサ支持体４０等が、上ケース６から独立してあたかも宙に浮いているかのように作用する。すなわち、上ケース６からの衝撃や振動（例えば、他パッドの打撃や上ケース６自体の打撃によるもの）は薄膜部４２ａでほぼ吸収、遮断され、センサ部４１への振動伝達が効果的に抑えられるので、構造的に飛び付きが防止される。
【００４９】
その一方、パッド体１０とセンサ支持体４０とはブリッジ体１４で連結されており、パッド体１０は打撃により自由に振動して、自パッドの打撃による振動は、ブリッジ体１４及びセンサ支持体４０を通じてセンサ部４１に伝達されるので、打撃検出には支障がない。また、打撃時にはステイ２２及び緩衝材２２ｂによってパッド体１０の過剰な変位が抑制される結果、破損や故障が防止されると共に、ドラム音源として不適ノイズの発生が排除される。なお、上ケース６とパッド体１０とが常に非当接的関係を維持することができるならば、緩衝材２２ｂを不要にすることができる。
【００５０】
本装置は次のようにして製造される。
【００５１】
まず、センサ支持体４０にセンサ部４１を貼着する。次に、薄膜部４２ａの外周部を上ケース６の環状リブ６ａ上に載置する。一方、導光体２１と反射用カバー２３とを嵌着する。そして、薄膜部４２ａを挟んでステイ２２を環状リブ６ａにネジ２４で固定する。その後、裏返したパッド体１０に、装置本体を裏返してかぶせ、センサ支持体４０を有膜弾性体４２に位置合わせしながら載置し、ネジ１３でブリッジ体１４の下端部１４ｂに固着する。次いで、装置本体を表側にし、光源部３０を上ケース６に取り付ける。光源部３０は導光体２１の始端面２１ａ及び終端面２１ｂ間にちょうど嵌合される。
【００５２】
楽音制御及び発光ユニット２０の発光制御は次のようにしてなされる。
【００５３】
図７は、本装置の制御系の主要部の構成を示すブロック図である。４個のパッド体１０における各センサ部４１からの打撃検出信号は、ＣＰＵ８に入力され、成形され、音源指示信号として音源部９に出力され、これをトリガとして、ドラム音が発生する。その際、打撃されたパッド体１０の周りの発光ユニット２０も同時に発光する。
【００５４】
図８は、本実施の形態におけるメイン処理のフローチャートを示す図である。まず、初期化を行い（ステップＳ１０１）、音色等楽音パラメータの（変更）設定処理を行う（ステップＳ１０２）。次いで、パッド処理、すなわちパッド体１０の打撃検出信号に基づき、上記設定された楽音の発生とＬＥＤ３１の発光処理とを行って（ステップＳ１０３）、前記ステップＳ１０２に戻る。
【００５５】
なお、従来では通常、飛び付き防止や打撃検出感度の均一化のため、ソフトウェアによる補正処理等を前記ステップＳ１０３において行うようにしていた。しかし、本実施の形態では、構造的に飛び付きが抑制されると共に、ブリッジ体１４によって感度むらが低減されているので、ソフト的に対応する必要がない。
【００５６】
なお、発光ユニット２０の発光は打撃時に限ることなく、光鍵盤のように、練習用の打撃指示のために発光させてもよい。また、装飾として常時発光するようにしてもよいし、もぐらたたきのようなゲームができるように応用してもよい。
【００５７】
本実施の形態によれば、パッド体１０、センサ支持体４０及びセンサ部４１等が、振動伝達を抑制し得る薄膜部４２ａで上ケース６に浮設支持されるので、振動伝達に関して上ケース６からの独立性を確保することができる。従って、他パッドの打撃や上ケース６自身の打撃に起因する飛び付きが防止される。その一方、自パッドの打撃による振動は、ブリッジ体１４及びセンサ支持体４０を通じてセンサ部４１に確実に伝達されるので、打撃検出に支障がない。従って、構造的に飛び付きが抑制されるので、センサ部の感度を下げたりソフト的に対応する必要がない。また、ブリッジ体１４は、パッド体１０の外縁下部近傍から延設され円周方向に幅広に形成されているので、周縁から回り込むようにより広い経路で打撃振動が伝わり、「感度むら」が効果的に防止され、打撃位置に拘わらず均一な出力が得られる。よって、ケース体からの振動伝達を効果的に抑制して飛び付きの発生を構造的に防止することができると共に、打撃位置による感度むらを効果的に少なくすることができる。
【００５８】
また、発光ユニット２０では、光ファイバの光伝搬原理を利用して導光体２１の軸方向に沿ってＬＥＤ３１からの入射光が導かれると共に、放光面２１ｃから適当に放光されるようにしたので、発光ユニット２０の一部を除く全周を光らせることができる。また、放光面２１ｃを設ける態様で発光態様を異ならせることができるので、ドラム装置に合った装飾的な発光を実現することが容易である。また、打撃指示表示、いわゆるナビゲート表示に適しており、もぐらたたき等のゲーム機能を実現することも容易である。さらに、最小限の発光体で全体を光らせることができるので、構成が簡単でありコストを低減できるだけでなく、故障が少なく耐久性もある。よって、簡単な構成、最小限の光源でパッド体の周りを発光させることができる。しかも、光源部３０は導光体２１及び反射用カバー２３とは別個に上ケース６から取り付け取り外しが容易であるので、メンテナンスやＬＥＤ３１の色の変更も容易であり、設計変更も行いやすい。
【００５９】
（第２の実施の形態）
本実施の形態では、発光ユニットの構成及び上ケースへの取り付け手法が第１の実施の形態と異なる。装置の外観並びに、パッド体１０、センサ支持体４０、センサ部４１、ブリッジ体１４及び有膜弾性体４２の各構成は第１の実施の形態と同様である。
【００６０】
図９は、本実施の形態に係る電子ドラム装置の構成を示す部分断面図であり、第１の実施の形態における図１のＡ−Ａ線に沿う部分断面図に対応する。
【００６１】
発光ユニット１２０は、導光体１２１、反射用カバー１２３及び光源部３０で構成される。導光体１２１は、第１の実施の形態における導光体２１に対してステイ２２がない点で相違する。反射用カバー１２３は、第１の実施の形態における反射用カバー２３に対して位置決め用突条部１２３ａを有する点で相違する。導光体１２１と反射用カバー１２３との嵌合態様、光源部３０の構成、及び発光ユニット１２０が略円環状である点は第１の実施の形態と同様である。
【００６２】
位置決め用突条部１２３ａは、反射用カバー１２３の外周部下部に全周に亘って形成され、これと嵌合的な溝部が上ケース１０６に形成されている。発光ユニット１２０は、外周面及び位置決め用突条部１２３ａで上ケース１０６に接着嵌合されて固定される。装着時には、位置決め用突条部１２３ａによって、仮止めの機能を果たすと共に、上ケース１０６に対して位置決めがされ、しかも上ケース１０６との固着強度が向上している。
【００６３】
第１の実施の形態では、導光体２１のステイ２２と上ケース６の環状リブ６ａとで有膜弾性体４２の薄膜部４２ａをサンドイッチするようにしたが、本第２の実施の形態では、上ケース１０６と下ケース５０とでサンドイッチする。下ケース５０は、ポリスチレン等で構成され、センサ部４１の下方における底部に、センサ部４１のリード線４３を通すための穴５１が設けられている。
【００６４】
上ケース１０６の薄膜保持部１０６ａの下面と下ケース５０の薄膜保持部５０ａの上面とで有膜弾性体４２の薄膜部４２ａをサンドイッチするようにして、ネジ１２４で薄膜部４２ａが固定される。これにより、有膜弾性体４２が上ケース１０６及び下ケース５０に固定される。
【００６５】
なお、本実施の形態では、上ケース１０６の薄膜保持部１０６ａの上面１０６ｂ及び緩衝材２２ｂが第１の実施の形態におけるステイ２２の上面２２ａ等と同様のストッパ的機能を果たし、パッド体１０の過剰な変位を抑制する。なお、楽音制御及び発光ユニット１２０の発光制御は第１の実施の形態と同様である。
【００６６】
本装置は次のようにして製造される。
【００６７】
まず、センサ支持体４０にセンサ部４１、有膜弾性体４２及びブリッジ体１４の下端部１４ｂを固着すると共に、パッド体１０とブリッジ体１４の上端部１４ａを固着することにより、これらを１つのアッセンブリとする。その後、このアッセンブリを裏返し、裏返した上ケース１０６の薄膜保持部１０６ａに薄膜部４２ａが載るようにアッセンブリを載置する。そして、下ケース５０の薄膜保持部５０ａが薄膜部４２ａを挟むように下ケース５０を載せ、ネジ１２４を締める。導光体１２１及び反射用カバー１２３は、上記アッセンブリの取り付け前または後のいずれかに、上ケース１０６に取り付ければよい。光源部３０の取り付けは第１の実施の形態と同様である。
【００６８】
本実施の形態によれば、パッド体１０、センサ支持体４０及びセンサ部４１等のアッセンブリが、振動伝達を抑制し得る薄膜部４２ａで上ケース１０６及び下ケース５０に浮設支持される。従って、振動伝達に関して上ケース１０６、下ケース５０からの独立性を確保することができる。よって、飛び付きの発生防止に関し、第１の実施の形態と同様の効果を奏することができる。また、ブリッジ体１４によって、打撃検出の均一化に関し、第１の実施の形態と同様の効果を奏することができる。さらに、発光ユニット１２０によって、装飾的な発光に関し、第１の実施の形態と同様の効果を奏することができる。
【００６９】
また、下ケース５０には小さな穴５１しか空いておらず気密性が高く、また形状的にも制約が少ないことから、下ケース５０をスピーカボックスとしての機能を兼用させることが容易にでき、構成を簡単にすることができるだけでなく、大穴をなくすことができるので、音質向上にも寄与する。
【００７０】
（第３の実施の形態）
本実施の形態では、パッド体とセンサ支持体との結合方式が第１、第２の実施の形態と異なる。また有膜弾性体の薄膜部を上ケースと下ケースとでサンドイッチする点では第２の実施の形態と同様であるが、パッド体のストッパ的機能を設けない点が第２の実施の形態と相違する。装置の外観、発光ユニット１２０の構成は第２の実施の形態と同様である。
【００７１】
図１０は、本実施の形態に係る電子ドラム装置の構成を示す部分断面図であり、第１の実施の形態における図１のＡ−Ａ線に沿う部分断面図に対応する。
【００７２】
パッド兼中空体１００は、パッド表皮体１１及び中空体６０で構成される。パッド表皮体１１はゴム等の弾性体で構成され、その上面である打撃面１１ａが叩打される。中空体６０は弾性を有する材料（例えば、ポリプロピレン）で、ブロー成形により形成され、上板部６０ａと底板部６０ｂとの間に中空部６１が形成される。パッド表皮体１１は、中空体６０の上板部６０ａに接着剤で固着される。中空体６０の底板部６０ｂには、複数箇所（例えば等間隔に４箇所）に、下方に凸状の位置決め用突起部６２が形成されている。
【００７３】
一方、パッド兼中空体１００の下方には、有膜弾性体１４２及びセンサ支持体１４０が配設されている。有膜弾性体１４２は、第１の実施の形態における有膜弾性体４２と同じ材料で構成される。有膜弾性体１４２は円盤状に形成され、位置決め用突起部６２に対応する位置には位置決め用突起部６２の貫通用に穴１４２ｂが形成されている。薄膜部１４２ａの厚みも薄膜部４２ａと同様である。
【００７４】
センサ支持体１４０は、剛性を有する板状部材で円盤状に形成され、中空体６０の底板部６０ｂの平坦な部分と略同じ外径を有する。センサ支持体１４０の位置決め用突起部６２に対応する位置には、位置決め用突起部６２に嵌合的な凹部１４０ａが形成されている。センサ部４１の配置及び構成は第２の実施の形態と同様である。
【００７５】
パッド兼中空体１００、有膜弾性体１４２及びセンサ支持体１４０を組み付ける際は、これらを裏返して、上からパッド兼中空体１００、有膜弾性体１４２、センサ支持体１４０の順に積層する（裏返し状態ではこの逆順）。その際、中空体６０の位置決め用突起部６２が有膜弾性体１４２の穴１４２ｂを貫通し、センサ支持体１４０の凹部１４０ａに嵌合するように位置合わせをしてから、ネジ１１３で共締めすることで、３者が固着される。
【００７６】
中空体６０は、外周部がパッド表皮体１１よりも外周側にやや張り出し、中空部６１はパッド表皮体１１の外縁部近傍まで形成される。また、中空体６０の外周部からセンサ支持体１４０の外縁部に向かって側板部６０ｃが縮径し、下すぼまりの形をしている。このような形状により、パッド兼中空体１００の打撃振動は、中空体６０の外縁部から回り込むように広い経路でセンサ支持体１４０に伝わり、しかも中空体６０はブロー成形で中空に形成され、弾性に富むことから、「感度むら」が効果的に防止される。
【００７７】
上ケース２０６の薄膜保持部２０６ａは、第２の実施の形態における上ケース１０６の薄膜保持部１０６ａのように内周側に張り出してはいない。有膜弾性体１４２の薄膜部１４２ａは、その外周部が上ケース２０６の薄膜保持部２０６ａの下面と下ケース５０の薄膜保持部５０ａの上面とでサンドイッチされる。そして、ネジ１２４で薄膜部１４２ａが固着される。これにより、有膜弾性体１４２が上ケース２０６及び下ケース５０に固定される。
【００７８】
下ケース５０の構成は第２の実施の形態と同様である。また、発光ユニット１２０の上ケース２０６への固着の態様も第２の実施の形態と同様である。上述したように、本実施の形態では、上ケース２０６の薄膜保持部２０６ａは打撃時においてもパッド兼中空体１００と当接することはなく、従って、パッド兼中空体１００のストッパ的機能を果たすものはない。これは、中空体６０が弾性材料でブロー成形されて中空部６１を有するため、弾性が大きく、打撃による衝撃を効率よく吸収するので、ストッパを不要にすることができるからである。
【００７９】
なお、楽音制御及び発光ユニット１２０の発光制御は第１、第２の実施の形態と同様である。
【００８０】
本装置は次のようにして製造される。
【００８１】
まず、上述したような手順でパッド兼中空体１００、有膜弾性体１４２及びセンサ支持体１４０を組み付けたアッセンブリを作り、次に、上ケース２０６を裏返し、上ケース２０６の大穴２０６ｂにパッド兼中空体１００が嵌合するように、また薄膜部１４２ａの外周部が上ケース２０６の薄膜保持部２０６ａに載るように、上記アッセンブリを取り付け位置に裏返し状態で配置する。次に、下ケース５０の薄膜保持部５０ａが薄膜部１４２ａの外周部を薄膜保持部２０６ａとで挟むように下ケース５０を置き、ネジ１２４で共締めする。発光ユニット１２０及び光源部３０の取り付けは第２の実施の形態と同様である。
【００８２】
本実施の形態によれば、パッド兼中空体１００、センサ支持体１４０及びセンサ部４１等のアッセンブリが、振動伝達を抑制し得る薄膜部１４２ａで上ケース２０６及び下ケース５０に浮設支持される。従って、振動伝達に関して上ケース２０６、下ケース５０からの独立性を確保することができる。よって、飛び付きの発生防止に関し、第１の実施の形態と同様の効果を奏することができる。
【００８３】
また、中空体６０を下すぼまりの形にしたことで、中空体６０の側板部６０ｃと上ケース２０６との間に空間Ｑが形成されるので（図１０）、有膜弾性体１４２の薄膜部１４２ａがその機能（振動伝達抑制）を十分に発揮することができる。
【００８４】
さらに、中空体６０をブロー成形で中空部６１を有するように形成したこと、外周部から下すぼまりの形に形成したこと、弾性材料で形成したこと、等によって、「感度むら」が一層効果的に防止され、打撃位置に拘わらず一層均一な出力が得られる。加えて、ブロー成形によって、通常２部品以上で構成される中空部を１部品で構成できるので、構成が簡単となるだけでなく、部品点数削減によりコストダウンを図ることができる。
【００８５】
また、発光ユニット１２０によって、装飾的な発光に関し、第１の実施の形態と同様の効果を奏することができる。また、下ケース５０がスピーカボックスを兼ねることで、構成簡単化、音質向上に関し、第２の実施の形態と同様の効果を奏することができる。
【００８６】
（第４の実施の形態）
図１１は、本発明の第４の実施の形態に係る電子ドラム装置の外観図である。
【００８７】
本装置は、上ケース６上に複数（４個）のパッド体１１０を備える。パッド体１１０の外周にはパッド板兼導光体１１２の外縁部がみえている。後述するように、本装置では、例えばパッド体１１０を打撃することで、各パッド毎に割り当てた音色（スネアドラム、バスドラム、シンバル等）が電子的に発音されると共に、パッド板兼導光体１１２が環状に光ってみえるようになっている。
【００８８】
第１の実施の形態では、光源部３０を除く発光ユニット２０が光ることで欠円した略環状に光ってみえたが、本装置では、パッド板兼導光体１１２が完全な環状に光る。なお、複数のパッド体１１０及びパッド板兼導光体１１２の大きさは異なるものもあるが基本的構成はいずれも同様である。表示部１、電源スイッチ部２、パラメータ設定用ロータリーエンコーダ３、機能スイッチ部４、及びスピーカ部５の構成は第１の実施の形態と同様である。
【００８９】
図１２は、本実施の形態におけるパッド体の平面図、図１３は図１１のＣ−Ｃ線に沿う部分断面図である。図１４は、有膜弾性体の一部を切り取って斜め上方からみた部分斜視図である。なお、図１２において表示したＣ−Ｃ線は、図１１のものに対応している。
【００９０】
本実施の形態では、光源部７０がパッド体１１０の下方に配設される。パッド体１１０の下方には、有膜弾性体２４２及びセンサ支持体２４０が配設されている（図１３）。有膜弾性体２４２は、弾性を有し振動を伝達しにくい合成樹脂（例えばポリプロピレン）等で構成される。
【００９１】
図１２、図１４に示すように、有膜弾性体２４２は略円盤状に形成され、その半径方向略中央部は肉厚部２４２ｂとなっている。また、外周部は肉厚部２４２ｂよりもさらに肉厚の環状肉厚部２４２ｃとなっている。肉厚部２４２ｂから環状肉厚部２４２ｃまでの間は薄膜部２４２ａとなっている。薄膜部２４２ａの厚みは例えば０．３ｍｍ程度である。環状肉厚部２４２ｃは、ブリッジ体１４と干渉しないように円周方向の該当３箇所において盗みが設けられている（図示せず）。また、環状肉厚部２４２ｃの外周面には、位置決め用溝Ｍ３が設けられている（図１４）。この位置決め用溝Ｍ３は、上ケース３０６の、パッド体１１０が嵌合する大穴３０６ｂに設けた不図示の突起部と嵌合し、パッド体１１０の円周方向の位置を規定する。
【００９２】
センサ支持体２４０は有膜弾性体２４２の下面に接着されている。センサ支持体２４０は剛性を有する板状部材で円盤状に形成され、その外縁部が有膜弾性体２４２の肉厚部２４２ｂの外周側近傍まで延びている。センサ支持体２４０の略中央下部にはセンサ部４１が設けられている。センサ部４１の構成は第１の実施の形態と同様である。
【００９３】
センサ支持体２４０は有膜弾性体２４２と共にブリッジ体１４によってパッド体１１０と結合されている（図１３）。ブリッジ体１４の外周側の上端部１４ａはパッド板兼導光体１１２の外縁部下部に接着等で固着されている。ブリッジ体１４は、その内周側の下端部１４ｂとセンサ支持体２４０とで有膜弾性体２４２の肉厚部２４２ｂをサンドイッチする形で取り付けられている。下端部１４ｂは、各ブリッジ体１４につき２個のネジ１３によってセンサ支持体２４０及び有膜弾性体２４２に固着されている。その他、ブリッジ体１４の構成、作用は第１の実施の形態と同様である。
【００９４】
センサ支持体２４０の略中央部には、光源部７０が設けられている（図１３、図１４）。有膜弾性体２４２の対応部分には穴が形成されており、光源部７０はこの穴を貫通してセンサ支持体２４０に取り付けられている。光源部７０は、リード線７２を通すための切り欠きが設けられた筒体７３とＬＥＤ７１とから構成される（図１４）。ＬＥＤ７１は発光して主に上方に向かって光を発する。
【００９５】
上ケース３０６は、パッド体１１０が嵌合する大穴３０６ｂを有し、大穴３０６ｂの内周面に保持部３０６ａが延設されている。有膜弾性体２４２の環状肉厚部２４２ｃを保持部３０６ａ上に載せ、下方からネジ２２４で固着することで、有膜弾性体２４２が上ケース３０６に固定される。
【００９６】
なお、第２、第３の実施の形態と同様に、下ケース５０を設け、これをネジ２２４で有膜弾性体２４２と共に上ケース３０６に固定するようにしてもよい。
【００９７】
一方、図１３に示すように、パッド体１１０は、パッド表皮体１１１及びパッド板兼導光体１１２で構成される。パッド表皮体１１１はゴム等の弾性体で構成され、その上面である打撃面１１１ａが叩打される。パッド板兼導光体１１２は、光を透過するポリカーボネート等の透明体で構成される。パッド板兼導光体１１２は、浅い皿状に形成され、外縁部が上方に屈曲している。パッド表皮体１１１は、パッド板兼導光体１１２の平坦な皿状部分に接着剤で固着されている。パッド板兼導光体１１２はパッド板としての機能を兼ねる。
【００９８】
パッド板兼導光体１１２の略中央下面には、光入射部１１２ａが設けられている。光入射部１１２ａは下方に突出し、光源部７０と略同軸にパッド板兼導光体１１２と一体に形成されている。光入射部１１２ａの下面は光源部７０の上面と正面で対向し、近接しており、ＬＥＤ７１からの光が他に漏れにくくなっている。
【００９９】
光入射部１１２ａの上方であってパッド板兼導光体１１２の内部には、円錐状の第１反射部１１６が設けられる。第１反射部１１６は、例えば予めパッド板兼導光体１１２を上方から円錐状にくり抜き、その円錐面１１６ａを高い面粗度に仕上げることで形成される。なお、くり抜いた円錐状部分に光を反射しやすい白色等の合成樹脂を埋め込んでもよい。または、鏡面状のアルミ板等の金属板で円錐面１１６ａを覆うようにしてもよい。第１反射部１１６の先端は断面略直角となっており、ＬＥＤ７１で発し光入射部１１２ａから入射する光を水平方向に放射状に反射させる。なお、第１反射部１１６の円錐状部分とパッド表皮体１１１とのすきまに、アルミ板等を配設して反射効率を高めるようにしてもよい。
【０１００】
パッド板兼導光体１１２の平坦部における上面及び下面は、いずれも高い面粗さに（鏡面のように）処理されている。従って、上面及び下面では光が反射しやすく、パッド板兼導光体１１２の内部を透過する光が所定角度以下で高面粗度の面に向かうときはほぼ全反射する。これにより、第１反射部１１６から放射状に放出された入射光は、いわゆる光ファイバの光伝搬原理でパッド板兼導光体１１２の外周方向に向かって水平に効率良く導光される。なお、パッド表皮体１１１の下面を光を反射しやすい白色系に塗ることにより、パッド板兼導光体１１２の上面における反射効果をより高めることができる。
【０１０１】
パッド板兼導光体１１２の外縁部下部は、全周に亘り上方に向かって拡径するように約４５度にカットされ高い面粗度に仕上げられており、このカット面が第２反射部１１２ｄとなっている。また、パッド板兼導光体１１２の外縁部は、全周に亘りパッド表皮体１１１よりも張り出して上方に延び、上面が平坦な放光面１１２ｃとなっている。放光面１１２ｃは、面粗度を少し粗く（すりガラスのように）して形成されている。
【０１０２】
第１反射部１１６から放射状に放出された入射光は、第２反射部１１２ｄでほぼ全反射し、上方の放光面１１２ｃに向かう。放光面１１２ｃを粗面処理したことで、パッド板兼導光体１１２内部において放光面１１２ｃに向かう入射光は乱反射しやすくなり、一部が全反射することなく外部に漏れる。これにより、奏者からみると、放光面１１２ｃだけが光っているように見える。
【０１０３】
なお、第２反射部１１２ｄの形状は４５度のカット面に限らず、曲面でもよい。また、放光面１１２ｃは平坦面に限らず、曲面でもよい。両者の組み合わせによって、放光面１１２ｃにおける放光の方向や明るさが変わるので、デザイン的な視点で適当に組み合わせればよい。
【０１０４】
なお、本実施の形態では、有膜弾性体２４２の環状肉厚部２４２ｃの上面２４２ｃａが、第１の実施の形態におけるステイ２２の上面２２ａと同様のストッパ的機能を果たし、パッド体１１０の過剰な変位を抑制する。なお、楽音制御及び光源部７０の発光制御は第１の実施の形態と同様である。
【０１０５】
本装置は次のようにして製造される。
【０１０６】
まず、上述したような手順でパッド体１１０、有膜弾性体２４２及びセンサ支持体２４０を組み付けたアッセンブリを作り、これを裏返す。次に、上ケース３０６を裏返した状態で、上ケース３０６の大穴３０６ｂにパッド体１１０が嵌合するように、また大穴３０６ｂに設けた不図示の突起部が有膜弾性体２４２の位置決め用溝Ｍ３に嵌合するように、上ケース３０６を配置する。そして、有膜弾性体２４２の環状肉厚部２４２ｃと保持部３０６ａとをネジ２２４で固着する。
【０１０７】
本実施の形態によれば、パッド体１１０、有膜弾性体２４２及びセンサ支持体２４０等を組み付けたアッセンブリが、振動伝達を抑制し得る薄膜部２４２ａで上ケース３０６に浮設支持される。従って、振動伝達に関して上ケース３０６からの独立性を確保することができる。よって、飛び付きの発生防止に関し、第１の実施の形態と同様の効果を奏することができる。また、ブリッジ体１４によって、打撃検出の均一化に関し、第１の実施の形態と同様の効果を奏することができる。
【０１０８】
また、光源部７０のＬＥＤ７１から光入射部１１２ａに入射された入射光を、第１反射部１１６から第２反射部１１２ｄまでの間、光ファイバの光伝搬原理を利用して放射状に導くと共に、第２反射部１１２ｄで反射させて放光面１１２ｃから適当に放光するようにしたので、パッド体１１０の全周に亘って光らせることができる。第１の実施の形態では光源部３０が存在する部分は光らせることができなかったが、本実施の形態では切れ目なく全周が光るので、デザイン上より有利である。また、放光面１１２ｃを設ける態様で発光態様を異ならせることができるので、ドラム装置に合った装飾的な発光を実現することが容易である。さらに、最小限の発光体（本実施の形態では１個のＬＥＤ７１）で全体を光らせることができるので、構成が簡単でありコストを低減できるだけでなく、故障が少なく耐久性もある。よって、簡単な構成、最小限の光源でパッド体の周りを発光させることができる。
【０１０９】
（第５の実施の形態）
本実施の形態では、装置の外観は第４の実施の形態と同様であるが内部構成が異なる。本実施の形態では、光源部７０が振動検出体２１０の下方に配設され、パッド板兼導光体２１２が完全な環状に光る。
【０１１０】
図１５は、本実施の形態に係る電子ドラム装置における振動検出体の平面図、図１６は図１５のＤ−Ｄ線に相当する線に沿う電子ドラム装置の部分断面図、図１７は有膜弾性体の平面図である。
【０１１１】
振動検出体２１０は、パッド表皮体１１１、パッド板兼導光体２１２及びセンサ支持体３４０から構成される。振動検出体２１０の下方には、有膜弾性体３４２が配設されている（図１６）。有膜弾性体３４２の材質は第４の実施の形態における有膜弾性体２４２と同様である。
【０１１２】
図１７に示すように、有膜弾性体３４２は略円盤状に形成され、その半径方向略中央部までの間は肉厚のベース体３４２ｂ（パッド体保持体）となっている。また、外周部はベース体３４２ｂよりもさらに肉厚の環状肉厚部３４２ｃとなっている。ベース体３４２ｂから環状肉厚部３４２ｃまでの間は薄膜部３４２ａとなっている。薄膜部３４２ａの厚みは例えば０．３ｍｍ程度である。環状肉厚部３４２ｃには、等間隔に４箇所に取り付け用穴３４２ｅが設けられている（図１７）。
【０１１３】
有膜弾性体３４２の中央よりやや外周方向に外れた位置には、光源部７０が設けられている（図１６、図１７）。光源部７０はベース体３４２ｂの上面に取り付けられている。光源部７０の位置が中央でないのは、センサ部４１との近接配置を避け、配線を容易にするためである。光源部７０の構成は第４の実施の形態と同様であり、ＬＥＤ７１が主に上方に向かって光を発する。
【０１１４】
有膜弾性体３４２にはまた、円筒状のスタッド受け８１（接続部）が設けられる。スタッド受け８１は、ベース体３４２ｂの中央よりやや外周方向に外れた位置に等間隔に３個設けられ、上方に突出しベース体３４２ｂと一体に形成される。ベース体３４２ｂにはさらに、センサ部４１のリード線４３及び光源部７０のリード線７２を通すための穴３４２ｄが形成されている。
【０１１５】
パッド板兼導光体２１２とセンサ支持体３４０とはスタッド２１３を通じて一体に形成されて構成され、例えばスライドコア金型による一体成形で製造される。スタッド２１３は、３箇所に等間隔に設けられ、パッド表皮体１１１の打撃振動をセンサ支持体３４０に伝える。なお、パッド板兼導光体２１２とセンサ支持体３４０とは別体に形成し、これらを別体のスタッドで結合するようにしてもよい。
【０１１６】
パッド表皮体１１１はゴム等の弾性体で構成され、その上面である打撃面１１１ａが叩打される。パッド板兼導光体２１２等は、光を透過するポリカーボネート等の透明体で構成される。パッド板兼導光体２１２は、浅い皿状に形成され、外縁部が上方に屈曲している。パッド表皮体１１１は、パッド板兼導光体２１２の平坦な皿状部分に接着剤で固着されている。パッド板兼導光体２１２はパッド板としての機能を兼ねる。
【０１１７】
パッド板兼導光体２１２の下面には、光入射部２１２ａが設けられている。光入射部２１２ａは、パッド板兼導光体２１２の中心からやや外周方向に外れ、下方に突出し、光源部７０と略同軸にパッド板兼導光体２１２と一体に形成されている。光入射部２１２ａの下面は光源部７０の上面と正面で対向し、近接しており、ＬＥＤ７１からの光が他に漏れにくくなっている。
【０１１８】
光入射部２１２ａの上方であってパッド板兼導光体２１２の内部には、円錐状の第１反射部１１６が設けられる。第１反射部１１６の構成、パッド板兼導光体２１２の平坦部における上面及び下面の面処理は第４の実施の形態と同様である。また、パッド板兼導光体２１２の外縁部も、第４の実施の形態におけるパッド板兼導光体１１２と同様に構成され、第２反射部１１２ｄ及び放光面１１２ｃと同様の第２反射部２１２ｄ及び放光面２１２ｃを有する。従って、光源部７０からの入射光は、第１反射部１１６から放射状に放出され、第２反射部２１２ｄでほぼ全反射し、上方の放光面２１２ｃから外部に漏れる。これにより、第４の実施の形態と同様に、奏者からみると、放光面２１２ｃだけが光っているように見える。
【０１１９】
パッド板兼導光体２１２にはさらに、スタッド受け８１に対応する３箇所に穴が形成され、これらの穴を貫通してスタッド８３（接続部）をスタッド受け８１に嵌挿することで、パッド板兼導光体２１２がベース体３４２ｂに固定支持される。上記したパッド表皮体１１１とパッド板兼導光体２１２との接着はスタッド８３の嵌挿後に行う。
【０１２０】
上ケース４０６は、振動検出体２１０が嵌合する大穴４０６ｂを有し、大穴４０６ｂの内周面に保持部４０６ｄが形成されている。有膜弾性体３４２の環状肉厚部３４２ｃを保持部４０６ｄ上に載せ、有膜弾性体３４２の取り付け用穴３４２ｅを貫通してスタッド３２４を上方から嵌挿することで、有膜弾性体３４２が上ケース４０６に固定される。なお、その後、スタッド３２４乃至環状肉厚部３４２ｃの上面には、緩衝材８２が接着される。
【０１２１】
上ケース４０６の底板部４０６ａは、大穴４０６ｂを下方から塞ぐように形成されている。底板部４０６ａには、センサ部４１のリード線４３及び光源部７０のリード線７２を通すための小穴４０６ｃが形成されている。
【０１２２】
なお、本実施の形態では、緩衝材８２の上面８２ａが、第１の実施の形態におけるステイ２２の上面２２ａと同様のストッパ的機能を果たし、振動検出体２１０の過剰な変位を抑制する。なお、楽音制御及び光源部７０の発光制御は第１の実施の形態と同様である。
【０１２３】
本装置は次のようにして製造される。
【０１２４】
まず、有膜弾性体３４２の環状肉厚部３４２ｃを上ケース４０６の保持部４０６ｄ上に載せ、スタッド３２４を嵌挿して有膜弾性体３４２を上ケース４０６に固定する。一方、センサ支持体３４０にセンサ部４１を取り付ける。そして、有膜弾性体３４２にパッド板兼導光体２１２をスタッド８３で取り付けた後、パッド表皮体１１１をパッド板兼導光体２１２に固着する。本実施の形態では、各部品を裏返すことなくすべて上方から組み付けできるので、作業効率がよい。
【０１２５】
本実施の形態によれば、振動検出体２１０、ベース体３４２ｂが、振動伝達を抑制し得る薄膜部３４２ａで上ケース４０６に浮設支持される。従って、振動伝達に関して上ケース４０６からの独立性を確保することができる。よって、飛び付きの発生防止に関し、第１の実施の形態と同様の効果を奏することができる。
【０１２６】
また、光源部７０、光入射部２１２ａ、第１反射部１１６、第２反射部２１２ｄ及び放光面２１２ｃの作用により、パッド板兼導光体２１２の全周に亘って光らせることに関し、第４の実施の形態と同様の効果を奏することができる。
【０１２７】
さらに、パッド体に相当するもの（パッド表皮体１１１及びパッド板兼導光体２１２）とセンサ支持体３４０とが結合したもの、すなわち振動検出体２１０を、打撃検出を担う「打撃検出系」とみなし、一方、上記パッド体に相当するものを保持するベース体３４２ｂが薄膜部３４２ａで上ケース４０６に結合されたものを、飛び付き防止を担う「飛び付き防止系」とみなせば、両系は比較的分離独立したものとなる。従って、打撃検出特性の改善または飛び付き防止特性の改善を図る必要があるとき、他方の系に影響を与えることなく一方の系のみの設計変更をすることが可能となる。例えば、ケース体の材質や構造的特性の変化等により不具合が発生しても、いずれかの系のみの変更でそれを解消し、ケース体の金型変更という最悪の事態等を回避することができ、各系毎の設計の制約を少なくして多機種への対応を容易にすることもできる。従って、打撃検出特性と飛び付き防止特性との兼ね合いを考慮した自由度の高い設計を可能にすることができる。
【０１２８】
また、パッド板兼導光体２１２とセンサ支持体３４０とをスライドコア金型による一体成形等で形成できるので、構成が簡単であり、また、ロット間異態様、パッド間異態様はあり得ないから、部品点数を少なくすることができる。
【０１２９】
さらに、上ケース４０６の底板部４０６ａで大穴４０６ｂを下方から塞ぐようにしたので、パッド下方に大きな穴がなく、気密性の高い構造にすることができる。上ケース４０６には、不図示の下ケースを結合することで、電子ドラム装置の筐体が構成されるが、筐体全体をスピーカボックスとして見た場合、電子回路を内蔵したとしても、気密性の高いスピーカボックスを構成することができ、音質向上に寄与する。
【０１３０】
（第６の実施の形態）
本実施の形態では、第４の実施の形態に対し、ブリッジ体の構成が異なり、その他は第４の実施の形態と同様である。
【０１３１】
図１８は、本実施の形態に係る電子ドラム装置の図１１のＣ−Ｃ線に沿う部分断面図である。図１８は図１３に対応するものである。
【０１３２】
前述した第４の実施の形態では、ブリッジ体１４は帯状に形成され３個設けられたが、本実施の形態では、ブリッジ体２１４はドーナツ状に形成された一体ものとして形成される。センサ支持体２４０は有膜弾性体２４２と共にブリッジ体２１４によってパッド体１１０と結合されている。ブリッジ体２１４の外周側上端部がパッド板兼導光体１１２に固着され、内周側下端部が有膜弾性体２４２の肉厚部２４２ｂに固着される。その他の構成は、第４の実施の形態と同様である。
【０１３３】
本実施の形態によれば、ブリッジ体２１４を、ブリッジ体１４に対してその幅を全周に亘って延設したドーナツ形状としたので、周縁から回り込むようにより広い経路で打撃振動が伝わり、「感度むら」が一層効果的に防止され、打撃位置に拘わらず一層均一な出力が得られる。
【０１３４】
なお、ブリッジ体２１４をドーナツ状にする構成は、第１、第２の実施の形態にも適用可能である。
【０１３５】
なお、上記各実施の形態において、光源部３０、光源部７０の数（乃至ＬＥＤ３１、７１の数）は複数としてもよい。例えば、第１、第２、第３の実施の形態において、後で例示するように光源部３０（乃至ＬＥＤ３１）を互いに背向して２つ設ける場合は、導光体２１の光源部３０から最も遠い位置に反射部を設け、入射位置に反射光が戻るようにしてもよい。
【０１３６】
例えば、第１の実施の形態では、光源部３０のＬＥＤ３１は１個という構成を採用したが、これに限るものではない。例えば、互いに背向する２個のＬＥＤを設けてもよい。図１９に光源部の他の構成例（光源部３０’）を示す。
【０１３７】
図１９に示す光源部は、電子ドラムにおける打撃指示表示（ナビゲート機能表示）及び／又は打撃したことを視認して教習効果を上げるため、また発光機能効率を上げるための他の構成例であって、一言で言えばＬＥＤ等の光源の光を導光体２１の始端面２１ａ及び終端面２１ｂの双方に入射するようにした実施例を示すものである。図中、光源部３０と同一の要素は図６と同一の番号を付してその説明を略する。
【０１３８】
図１９（ａ）に示すように、光源部３０’のＬＥＤカバー３２０には、一端面３２ａｕから他端面３２ｂｕにかけて、直線的に断面がほぼ一様なＵ字溝ＭＵが設けられている。溝ＭＵの中央にはドラム外側壁下端部（同図では上端部）においてバイポールＬＥＤである双頭発光ダイオードＢＬＤの挿着後の抜け止め突起Ｍ２が設けられており、その対向部壁面には上下方向に延びるＢＬＤガイド溝Ｍ３が設けられている。
【０１３９】
カバー３２０へのＢＬＤ挿着において、ＢＬＤの一側面に設けた被ガイド突起ＢＬ１が溝Ｍ３にガイドされて溝ＭＵにＢＬＤが挿入され、完全に嵌合されたところで、ＢＬＤの下端面ＢＬＤ２が突起Ｍ２に係止される。この状態で天地逆にして光源部３０’を上述した光源部３０の場合と同様に発光ユニット２０に嵌着させる。
【０１４０】
ところで上記ＢＬＤは、２つの発光ダイオードを図１９（ｂ）に示すように内部で結線し、外側を樹脂で固めてなるもので、外観は同図（ａ）または（ｃ）のように構成される。ＢＬＤの長手方向両端部は大砲の弾の先端部の形をなしており、これがレンズの役目を果たし、収光角度（立体角）２０度〜８０度となるように成形されている。
【０１４１】
この双頭発光ダイオードＢＬＤは、市販されていない場合は特注となる。コストダウンするためには、同図（ｄ）に示すように、ＬＥＤカバーをＬＥＤカバー３２４のような構成としてもよい。同図（ｄ）は、カバー３２４を下方からみた裏面図である。例えば、カバー３２０に相当するものとこれに左右対称に構成されたものとを、カバー３２０の他端面３２ｂｕに相当する面同士を連結部として連結して構成される。この場合、フック部３３は１つでよいので、中央に１つ設けた構成としている。この構成において、左右２つのＬＥＤ３１、３１を同図のように溝Ｍ１に嵌着させると、双頭発光形の光源部ができあがる。
【０１４２】
図１９の構成によれば、図６の構成に比し、より明るく、且つより均一な輝度を確保することができる。
【０１４３】
なお、第１の実施の形態において、ステイ２２は同様の構成のものを均等間隔で３つ設けるようにしたが、数や形態はこれに限るものではない。例えば、３箇所のうちの１箇所にはステイ２２を２つ併設したり、他のステイ２２とは形状を異ならせたりしてもよい。これにより、導光体２１と上ケース６との円周方向の位置関係が一義的に決まるため、位置決めがやりやすくなり、組み付け作業が容易になる。また、ステイ２２が多数となることで、壊れにくくなる。
【０１４４】
なお、第１、第２、第３の実施の形態において、放光面（２１ｃ等）に、メーカー名、「ＢＯＮＧＯ」、「ＫＯＮＧＡ」等の楽器名、「ナビゲート機能を」、「使って１，２，３，４」等の代表機能の説明等、各種文字を書く（彫り込む、浮きだたせる）ようにしてもよい。これにより、発光時に際立ち、視認効果を増大させることができる。
【０１４５】
なお、上記各実施の形態において、放光面２１ｃ、１１２ｃは一様に粗い面粗度に仕上げるようにしたが、視認される面のうちの少なくとも一部を粗面処理すればよく、その態様は自由である。これは、視覚効果に影響するので、デザイン上の視点で適宜変更すればよく、また設計変更は容易である。
【０１４６】
なお、第１、第２、第４の実施の形態において、適切な振動伝達が可能であれば、ブリッジ体１４に代えてスタッド等でパッド側とセンサ支持体側とを結合してもよい。
【０１４７】
【発明の効果】
以上説明したように、本発明の請求項１の電子ドラム装置によれば、ケース体からの振動伝達を効果的に抑制して飛び付きの発生を構造的に防止することができる。
【０１４８】
本発明の請求項２の電子ドラム装置によれば、ケース体からの振動伝達を効果的に抑制して飛び付きの発生を構造的に防止することができると共に、打撃位置による感度むらを効果的に少なくすることができる。
【０１４９】
本発明の請求項３の電子ドラム装置によれば、ケース体からの振動伝達を効果的に抑制して飛び付きの発生を構造的に防止することができると共に、打撃位置による感度むらを効果的に少なくすることができる。
【０１５０】
本発明の請求項４の電子ドラム装置によれば、ケース体からの振動伝達を効果的に抑制して飛び付きの発生を構造的に防止することができると共に、打撃位置による感度むらを効果的に少なくすることができる。さらに構成を簡単にし、コストを削減することができる。
【０１５１】
本発明の請求項５の電子ドラム装置によれば、ケース体からの振動伝達を効果的に抑制して飛び付きの発生を構造的に防止することができると共に、打撃検出特性と飛び付き防止特性との兼ね合いを考慮した自由度の高い設計を可能にすることができる。
【０１５２】
本発明の請求項６の電子ドラム装置によれば、パッド体やセンサ支持体等のケース体からの作用上の独立性を確保して飛び付きを効果的に防止することができる。また、ストッパ機能によって破損や故障を防止すると共に、ドラム音源として不適な信号（超低周波数等）の発生を排除することができる。
【図面の簡単な説明】
【図１】  本発明の第１の実施の形態に係る電子ドラム装置の外観図である。
【図２】  同形態におけるパッド体の平面図である。
【図３】  同形態における発光ユニットを斜め上方からみた外観斜視図である。
【図４】  図１のＡ−Ａ線に沿う部分断面図である。
【図５】  図１のＢ−Ｂ線に沿う部分断面図である。
【図６】  光源部に上ケースの一部を併せて示した図である。
【図７】  同装置の制御系の主要部の構成を示すブロック図である。
【図８】  同形態におけるメイン処理のフローチャートを示す図である。
【図９】  第２の実施の形態に係る電子ドラム装置の構成を示す図１のＡ−Ａ線に沿う部分断面図に対応する図である。
【図１０】  第３の実施の形態に係る電子ドラム装置の構成を示す図１のＡ−Ａ線に沿う部分断面図に対応する図である。
【図１１】  第４の実施の形態に係る電子ドラム装置の外観図である。
【図１２】  同形態におけるパッド体の平面図である。
【図１３】  図１１のＣ−Ｃ線に沿う部分断面図である。
【図１４】  有膜弾性体を取り出して斜め上方からみた部分斜視図である。
【図１５】  第５の実施の形態に係る電子ドラム装置における振動検出体の平面図である。
【図１６】  図１５のＤ−Ｄ線に相当する線に沿う電子ドラム装置の部分断面図である。
【図１７】  有膜弾性体の平面図である。
【図１８】  第６の実施の形態に係る電子ドラム装置の図１１のＣ−Ｃ線に沿う部分断面図である。
【図１９】  光源部の他の構成例を示す図である。
【符号の説明】
６、１０６、２０６、３０６、４０６  上ケース（ケース体）、  １０  パッド体、  １１、１１１  パッド表皮体、  １２  パッド板、  １４  ブリッジ体（帯状弾性ブリッジ体）、  ２１４  ブリッジ体（ドーナツ状弾性ブリッジ体）、  ２０、１２０  発光ユニット、  ２１、１２１  導光体、  ２１ａ  始端面、  ２１ｂ  終端面、  ２１ｃ  放光面、  ２２  ステイ、  ２３、１２３  反射用カバー、  ３０  光源部、  ３１  ＬＥＤ、  ３２  ＬＥＤカバー、  ４０  センサ支持体、  ４１  センサ部、  ４２、１４２、２４２、３４２  有膜弾性体、  ４２ａ、２４２ａ  薄膜部（肉薄部）、１４２ａ  薄膜部（肉薄弾性体）、３４０  センサ支持体、  ３４２ａ  薄膜部（肉薄部、肉薄弾性体）、  ４２ｂ、２４２ｂ、３４２ｂ  （肉厚部）、  ３４２ｂ  ベース体（パッド体保持体）、  ５０  下ケース、  ６０  中空体、  ７０  光源部、  ７１  ＬＥＤ、  ８１  スタッド受け（第２接続部）、  ８３  スタッド（第２接続部）、  １００  パッド兼中空体、  ２１３  スタッド（第１接続部）
【図１】
0003674771.tif 000002
【図２】
0003674771.tif 000003
【図３】
0003674771.tif 000004
【図４】
0003674771.tif 000005
【図５】
0003674771.tif 000006
【図６】
0003674771.tif 000007
【図７】
0003674771.tif 000008
【図８】
0003674771.tif 000009
【図９】
0003674771.tif 000010
【図１０】
0003674771.tif 000011
【図１１】
0003674771.tif 000012
【図１２】
0003674771.tif 000013
【図１３】
0003674771.tif 000014
【図１４】
0003674771.tif 000015
【図１５】
0003674771.tif 000016
【図１６】
0003674771.tif 000017
【図１７】
0003674771.tif 000018
【図１８】
0003674771.tif 000019
【図１９】
0003674771.tif 000020